(57)【要約】【課題】ｍＲＦＩＤリーダ機を提供すること。【解決手段】一定周波数帯域の搬送信号を発生させるローカルオシレータと、タグから受信されたタグ信号を前記搬送信号とミキシングして前記タグ信号の周波数をダウンさせるミキサと、前記タグ信号の位相を把握して前記搬送信号の位相を調節する位相調節ブロックと、前記タグ信号を所定の課程を通じて処理し、処理されたタグ信号の出力にしたがって、前記タグ信号の位相遅延を補償するよう前記位相調節ブロックの動作を制御する制御ブロックと、を含む。これによって、受信回路のサイズが従来に比べて半分減少するので、ｍＲＦＩＤリーダ機のみならずｍＲＦＩＤリーダ機が装着された移動通信端末機のサイズを小型化させることができる。また、受信回路に用いられる機器部品の数が減少するので、消費電力を減少させることができるかつ、コストを節減することができる。【選択図】図２
2010504683.tif 000002
【特許請求の範囲】
【請求項１】
一定周波数帯域の搬送信号を発生させるローカルオシレータと、
タグから受信されたタグ信号を前記搬送信号とミキシングして前記タグ信号の周波数をダウンさせるミキサと、
前記タグ信号の位相を把握して前記搬送信号の位相を調節する位相調節ブロックと、
前記タグ信号を所定の課程を通じて処理し、前記処理されたタグ信号の出力にしたがって、前記タグ信号の位相遅延を補償するよう前記位相調節ブロックの動作を制御する制御ブロックと、を含む受信回路を有することを特徴とするｍＲＦＩＤリーダ機。
【請求項２】
前記位相調節ブロックは、前記搬送信号を所定位相だけ遅延して前記ミキサに提供する位相遅延部を含むことを特徴とする請求項１に記載のｍＲＦＩＤリーダ機。
【請求項３】
前記位相調節ブロックは、前記タグ信号のパワーと、該当パワーが感知されたときの位相とを把握するパワー評価部を含むことを特徴とする請求項１に記載のｍＲＦＩＤリーダ機。
【請求項４】
前記パワー評価部は、前記パワーの絶対値を感知することを特徴とする請求項３に記載のｍＲＦＩＤリーダ機。
【請求項５】
前記位相調節ブロックは、前記パワー評価部で感知されたパワーの絶対値と、前記パワーの絶対値に対応する位相についての情報とを保存する保存部を含むことを特徴とする請求項４に記載のｍＲＦＩＤリーダ機。
【請求項６】
前記パワー評価部は、新しいパワーの絶対値の感知時、前記保存部に保存されたパワーの絶対値より前記新しいパワーの絶対値が大きい場合にのみ前記新しいパワーの絶対値を前記保存部に保存することを特徴とする請求項５に記載のｍＲＦＩＤリーダ機。
【請求項７】
前記位相調節ブロックは、前記位相遅延部で前記保存部に保存されている位相だけ前記搬送信号の位相が遅延されるように制御する遅延調節部を含むことを特徴とする請求項５に記載のｍＲＦＩＤリーダ機。
【請求項８】
前記制御ブロックは、前記制御ブロックで処理されたタグ信号の出力の増加が停止するまで、前記遅延調節部を持続的に動作させる制御機を含むことを特徴とする請求項７に記載のｍＲＦＩＤリーダ機。
【請求項９】
前記制御機は、前記タグ信号の出力が最大になるまで前記遅延調節部と前記パワー評価部とを動作させることを特徴とする請求項８に記載のｍＲＦＩＤリーダ機。
【請求項１０】
前記制御機は、前記タグ信号のプリアンブルを受信する期間、前記遅延調節部と前記パワー評価部とを動作させることを特徴とする請求項８に記載のｍＲＦＩＤリーダ機。
【請求項１１】
前記制御機は、前記タグ信号のπ／２周期の期間、前記遅延調節部と前記パワー評価部とを動作させることを特徴とする請求項８に記載のｍＲＦＩＤリーダ機。
【請求項１２】
前記制御機は、前記タグ信号のπ周期または２π周期の期間、前記遅延調節部と前記パワー評価部とを動作させることを特徴とする請求項８に記載のｍＲＦＩＤリーダ機。
【発明の詳細な説明】
【技術分野】
【０００１】
本発明は携帯無線周波数識別（ｍＲＦＩＤ）リーダ機に係り、より詳細には、機器の小型化と、消費電力の減少及びコスト節減のできるｍＲＦＩＤリーダ機に関する。
【背景技術】
【０００２】
一般的に、ＲＦＩＤ（Ｒａｄｉｏ  Ｆｒｅｑｕｅｎｃｙ  Ｉｄｅｎｔｉｆｉｃａｔｉｏｎ）システムは、リーダ、アンテナ、電子タグ、サーバ、及びネットワーク等で構成される。ここで、リーダは、電子タグに保存された情報を読み込むか、情報を保存する役割を果たし、アンテナは定義された周波数とプロトコルとして電子タグに保存されたデータを交換する。
【０００３】
このようなＲＦＩＤシステムと移動通信との結合によってｍＲＦＩＤ（ｍｏｂｉｌｅ  ＲＩＦＤ）という新しい技術とサービスが発展しつつある。ｍＲＦＩＤ技術では移動通信端末機に電子タグ、リーダ、アンテナ、及び処理モジュールを装着することにより、外部の電子タグから情報を読み込んでユーザに有用な情報サービスを提供するか、移動通信端末機内の電子タグを通じて他の機器に情報を伝達することができる。
【０００４】
図１は、従来のｍＲＦＩＤリーダ機の簡略な回路図である。図示されたように、ｍＲＦＩＤリーダ機は、送信回路１ｂ、受信回路１ａを含む。
【０００５】
送信回路１ｂは、タグに伝達される一定周波数の送信信号を発生させる。送信回路１ｂは、ＳＳＢ（Ｓｉｎｇｌｅ  Ｓｉｄｅ  Ｂａｎｄ）方式又はＤＳＢ（Ｄｏｕｂｌｅ  Ｓｉｄｅ  Ｂａｎｄ）方式を用いて送信信号を変調し、ＳＳＢ方式の場合、Ｉ信号とＱ信号とを全て送信し、ＤＳＢ方式の場合、Ｉ信号とＱ信号のうちの１つを送信することになる。
【０００６】
受信回路１ａは、Ｉ信号とＱ信号をそれぞれ処理し、Ｉ信号処理回路２ａ、Ｑ信号処理回路２ｂ、ローカルオシレータ７ａ（Ｌｏｃａｌ  Ｏｓｃｉｌｌａｔｏｒ）、ＩＱ合成機８、ベースバンド（Ｂａｓｅｂａｎｄ）信号処理ブロック９を含む。
【０００７】
Ｉ信号処理回路２ａとＱ信号処理回路２ｂは、それぞれＬＮＡ（３ａ、３ｂ）（Ｌｏｗ  Ｎｏｉｓｅ  Ａｍｐｌｉｆｉｅｒ）、ミキサ（４ａ、４ｂ）、フィルタ（５ａ、５ｂ）、増幅器（６ａ、６ｂ）、図示しないＡＤＣ（Ａｎａｌｏｇ  ｔｏ  Ｄｉｇｉｔａｌ  Ｃｏｎｖｅｒｔｅｒ）を含んで同一の構成からなる。
【０００８】
ローカルオシレータ７ａは、Ｉ信号処理回路２ａとＱ信号処理回路２ｂのミキサ（４ａ、４ｂ）にそれぞれ搬送信号を提供する。この際、Ｉ信号とＱ信号とは、９０°の位相差を有するので、Ｉ信号処理回路２ａのミキサ４ａとＱ信号処理回路２ｂのミキサ４ｂとに提供される搬送信号も９０°の位相差を有する必要がある。このために、Ｑ信号処理回路２ｂにはローカルオシレータ７ａからの搬送信号に９０°だけの位相差を生成する位相差生成部７ｂが設けられている。
【０００９】
ＩＱ合成機８は、Ｉ信号処理回路２ａとＱ信号処理回路２Ｂとでそれぞれ処理されたＩ信号とＱ信号の入力を受けて１つの信号に合成する。
【００１０】
ベースバンド信号処理ブロック９では、ＩＱ合成機８からの信号の入力を受けて復号等の処理過程を行うことにより、受信信号を判読してタグの情報が獲得できるようにする。
【００１１】
このような従来のｍＲＦＩＤリーダ機は、Ｉ信号とＱ信号とをそれぞれ処理するために同じ構成のＩ信号処理回路２ａとＱ信号処理回路２ｂとを具備している。ｍＲＦＩＤリーダ機でタグから反射されて送信された信号を受信する時、信号の位相が遅延され、位相の遅延幅はタグとｍＲＦＩＤリーダ機との間の距離によって変化する。このように遅延された位相を補償するために、従来のｍＲＦＩＤリーダ機は、Ｉ信号とＱ信号とをそれぞれ処理して合成することにより、位相遅延を補償することができる。
【００１２】
ところが、このような従来ｍＲＦＩＤリーダ機は、Ｉ信号処理回路２ａとＱ信号処理回路２ｂとを具備するため、それのサイズが比較的大きい。特に、ミキサ（４ａ、４ｂ）やフィルタ（５ａ、５ｂ）等の機器部品は、それのサイズが比較的大きいため、ｍＲＦＩＤリーダ機のサイズを増加させるのみならず、ｍＲＦＩＤリーダ機が装着される移動通信端末機のサイズも増加させる。これは移動通信端末機の小型化を追求している最近の趨勢に逆行することである。のみならず、従来のｍＲＦＩＤリーダ機は、サイズが大きくて電力の消費が大きく、機器あたりコストが高くなる。
【発明の概要】
【発明が解決しようとする課題】
【００１３】
本発明は、上記問題に鑑みてなされたものであり、本発明の目的は、サイズを小型化することができ、かつ、消費電力とコストとを低減することが可能なｍＲＦＩＤリーダ機を提供することにある。
【課題を解決するための手段】
【００１４】
また、上記課題を解決するために、本発明の観点によれば、一定周波数帯域の搬送信号を発生させるローカルオシレータと、タグから受信されたタグ信号を前記搬送信号とミキシングして前記タグ信号の周波数をダウンさせるミキサと、前記タグ信号の位相を把握して前記搬送信号の位相を調節する位相調節ブロックと、前記タグ信号を所定の課程を通じて処理し、前記処理されたタグ信号の出力にしたがって、前記タグ信号の位相遅延を補償するよう前記位相調節ブロックの動作を制御する制御ブロックと、を含むことを特徴とする。
【００１５】
前記位相調節ブロックは、前記搬送信号を所定位相だけ遅延して前記ミキサに提供する位相遅延部を含むことができる。
【００１６】
前記位相調節ブロックは、前記タグ信号のパワーと、該当パワーが感知されたときの位相とを把握するパワー評価部を含むことができる。
【００１７】
前記パワー評価部は、前記パワーの絶対値を感知することが望ましい。
【００１８】
前記位相調節ブロックは、前記パワー評価部で感知されたパワーの絶対値と、前記パワーの絶対値に対応する位相についての情報とを保存する保存部と、を含むことができる。
【００１９】
前記パワー評価部は、新しいパワーの絶対値の感知時、前記保存部に保存されたパワーの絶対値より前記新しいパワーの絶対値が大きい場合にのみ前記新しいパワーの絶対値を前記保存部に保存することが望ましい。
【００２０】
前記位相調節ブロックは、前記位相遅延部で前記保存部に保存されている位相だけ前記搬送信号の位相が遅延されるように制御する遅延調節部を含むことができる。
【００２１】
前記制御ブロックは、前記制御ブロックで処理されたタグ信号の出力の増加が停止するまで、前記遅延調節部を持続的に動作させる制御機を含むことができる。
【００２２】
前記制御機は、前記タグ信号の出力が最大になるまで前記遅延調節部と前記パワー評価部とを動作させることが望ましい。
【００２３】
前記制御機は、前記タグ信号のプリアンブルを受信する期間、前記遅延調節部と前記パワー評価部とを動作させることができる。
【００２４】
前記制御機は、前記タグ信号のπ／２周期の期間、前記遅延調節部と前記パワー評価部とを動作させることができる。
【００２５】
前記制御機は、前記タグ信号のπ周期または２π周期の期間、前記遅延調節部と前記パワー評価部とを動作させることができる。
【発明の効果】
【００２６】
本発明によると、本ｍＲＦＩＤリーダ機は受信回路の大きさが従来に比べて半分に減少するので、ｍＲＦＩＤリーダ機のみならずｍＲＦＩＤリーダ機が装着された移動通信端末機の大きさを小型化させることができる。また、受信回路に用いられる機器部品の数が減少することによって、消費電力を減少させることができる、かつ、コスト節減を図ることができる。
【図面の簡単な説明】
【００２７】
【図１】従来のｍＲＦＩＤリーダ機の簡略な回路図である。
【図２】本発明によるｎＲＦＩＤリーダ機の回路図である。
【図３】時間によるタグ信号のパワーの変化を示すグラフである。
【図４】図３及び図５のパワーの変化に対応する位相の変化を示すグラフである。
【図５】時間によるタグ信号のパワーの変化を示すグラフである。
【図６】図３及び図５のパワーの変化に対応する位相の変化を示すグラフである。
【図７】受信回路に入力されたタグ信号のグラフである。
【図８】ミキサで搬送信号とミキシングされたタグ信号のグラフである。
【図９】フィルタを通過したタグ信号のグラフである。
【図１０】本発明によるｍＲＦＩＤリーダ機の位相遅延を補償する過程を示すフローチャートである。
【発明を実施するための最良の形態】
【００２８】
以下に添付図面を参照して本発明の好適な実施の形態について詳細に説明する。
図２は、本発明によるｍＲＦＩＤリーダ機の回路図である。
本ｍＲＦＩＤリーダ機は、受信回路１０と送信回路１１０とを具備し、受信回路１０は、タグ信号のパワーと位相とを用いてタグ信号を復元することで、Ｉ信号処理回路とＱ信号処理回路とを有する従来のｍＲＦＩＤリーダ機とは違って、単一の受信回路１０を有する。
【００２９】
本ｍＲＦＩＤリーダ機の受信回路１０は、ＬＮＡ１１（Ｌｏｗ  Ｎｏｉｓｅ  Ａｍｐｌｉｆｉｅｒ）、ローカルオシレータ３５（Ｌｏｃａｌ  Ｏｓｃｉｌｌａｔｏｒ）、ミキサ１３、フィルタ１５、増幅器１７（Ａｍｐｌｉｆｉｅｒ）、ＡＤＣ１９（Ａｎａｌｏｇ  ｔｏ  Ｄｉｇｉｔａｌ  Ｃｏｎｖｅｒｔｅｒ）、位相調節ブロック２０、制御ブロック３０を含む。
【００３０】
ＬＮＡ１１は、タグから受信されたタグ信号を一定ゲインを有して増幅させる。
ローカルオシレータ３５は、あらかじめ設定された周波数帯域の搬送信号を発生させ、ローカルオシレータ３５から発生した搬送信号は、送信回路１１０のミキサと受信回路１０のミキサ１３とに同時に提供する。
【００３１】
ミキサ１３は、ローカルオシレータ３５で生成された搬送信号の提供を受けてタグ信号とミキシングすることで、タグ信号を基底帯域にダウンコンバージョンする。本ｍＲＦＩＤリーダ機の受信回路１０では、位相調節ブロック２０によって搬送信号の位相が変化し、位相の変化にしたがってミキサ１３でダウンコンバージョンされたタグ信号のパワーが変化する。
【００３２】
フィルタ１５は、ＬＰＦ（Ｌｏｗ  Ｐａｓｓ  Ｆｉｌｔｅｒ）で形成され、ミキサ１３でダウンコンバージョンされたタグ信号から高周波帯域の信号をフィルタリングする。
増幅器１７は、フィルタ１５でフィルタリングされたタグ信号を制御ブロック３０で処理可能な出力を有するよう増幅させる。
【００３３】
ＡＤＣ１９は、増幅されたタグ信号をデジタル信号に変換する。
位相調節ブロック２０は、タグ信号のパワーと位相とを用いてタグ信号の位相が遅延された程度を把握し、遅延された位相を補償する過程を行うことで、タグ信号の正確な把握を可能にする。位相調節ブロック２０は、位相遅延部２１、パワー評価部２３、保存部２５、遅延調節部２７を含む。
【００３４】
位相遅延部２１は、ローカルオシレータ３５とミキサ１３との間に位置し、ローカルオシレータ３５で発生された搬送信号を所定位相だけ遅延してミキサ１３に提供する。位相遅延部２１は、位相を０〜π／２の範囲で調節し、この際、位相遅延部２１は、位相を段階的に調節することもでき、連続的に調節することもできる。このように位相遅延部２１は、遅延調節部２７からの制御によって遅延される位相を調節する。
【００３５】
パワー評価部２３は、デジタル信号に変換されたタグ信号のパワーを感知し、感知されたパワーの位相を判断することで、タグ信号のパワーが最大値である位相を探し出す。この際、パワー評価部２３は、パワーの絶対値を感知し、感知されたパワーの絶対値と、該当パワーの絶対値が感知されたときの位相とを保存部２５に保存する。パワー評価部２３は、π／２周期の期間、タグ信号のパワーの絶対値を感知する。これはパワー評価部２３でパワーの絶対値を感知することによってπ／２周期内に最大値が出現するためである。
【００３６】
一方、パワー評価部２３は、新しくパワーの絶対値を感知すると、新しく感知されたパワーの絶対値を前に感知されたパワーの絶対値と比較する。この際、新しく感知されたパワーの絶対値が前に感知されたパワーの絶対値より大きい場合、新しく感知されたパワーの絶対値と位相についての情報を保存部２５に保存する。しかし、新しく感知されたパワーの絶対値が前に感知されたパワーの絶対値より小さい場合、パワー評価部２３は、保存部２５に既存に保存されたパワーの絶対値と位相についての情報を保持するようにする。
【００３７】
保存部２５は、パワー評価部２３で感知されたパワーの絶対値と、パワーの絶対値に対応する位相についての情報を保存する。保存部２５に保存された情報は、パワー評価部２３で新しく感知されたパワーの絶対値が、前に感知されたパワーの絶対値より大きい場合にのみ更新される。したがって、保存部２５に保存されたパワーの絶対値は、該当時点までパワー評価部２３で感知されたパワーの絶対値のうち、最大値が保存される。
【００３８】
遅延調節部２７は、保存部２５に保存された位相についての情報を位相遅延部２１に提供することで、保存部２５に保存された位相だけ搬送信号の位相が遅延されるようにする。遅延調節部２７は、保存部２５に保存されたパワーの絶対値と位相が変化するたびに、位相情報を位相遅延部２１に提供する。この際、パワー評価部２３でパワーの絶対値を連続的にまたは段階的に感知することによって、パワーの絶対値が最大値に至るまで、保存部２５に保存されたパワーの絶対値と位相も連続的にまたは段階的に変化する。よって、遅延調節部２７も変化する位相情報を位相遅延部２１に実時間で提供することで、搬送信号の位相が連続的にまたは段階的に変化するように制御する。このように遅延調節部２７は位相遅延部２１に位相情報を送るが、保存部２５に保存されたパワーの絶対値と位相がπ／２周期に到達するまで変わらないか、あるいは、保存部２５に保存されたパワーの絶対値と位相が変化する中でもπ／２周期に到達すると、パワーの絶対値が最大値に到達したと見なす。そうすると、遅延調節部２７は、位相遅延部２１で該当位相だけ搬送信号を遅延するようセッティングする。
【００３９】
制御ブロック３０は、復号器３１、制御機３３を含み、復号器３１で処理されたタグ信号の出力によって、位相調節ブロック２０を制御してローカルオシレータ３５で生成された搬送信号の位相が調節されるようにすることで、結果的にタグ信号の出力を調節する。
【００４０】
復号器３１は、入力されたタグ信号のうち、希望するタグから送信されたタグ信号のみを選択し、選択されたタグ信号を復号化して制御機３３に提供する。
【００４１】
制御機３３は、復号器３１から処理されたタグ信号の出力によって、遅延調節部２７とパワー評価部２３の動作を制御することで、タグ信号の出力が最大になるようにする。制御機３３は、復号器３１から提供されたタグ信号の出力がもうこれ以上増加しなくなるまで、即ち、タグ信号の出力が最大値に至るまで遅延調節部２７を動作させる。このような制御機３３は、タグ信号のプリアンブルを受信する期間、タグ信号のπ／２周期の期間に位相調節ブロック２０を制御することによって、タグ信号の最大値が出力されるようにする。しかし、もしタグ信号のプリアンブルを受信する期間に、タグ信号の出力が最大値になる位相を探し出さない場合には、プリアンブルの後に連結される通信区間でも持続的にタグ信号の出力が最大値になる位相を探す過程を行うこともできる。
【００４２】
このような構成による本ｍＲＦＩＤリーダ機を用いてタグ信号を受信して位相遅延を補償する過程を図８を参照して説明すると、下記のようである。
【００４３】
まず、ｍＲＦＩＤリーダ機の送信回路１１０では、タグにタグ信号の伝送を要請する要請信号を送信する。このために、送信回路１１０では、送信回路を生成し、ローカルオシレータ３５からの搬送信号Ａと送信信号Ｂとをミキシングして要請信号を生成する。この際、ローカルオシレータ３５から出力される搬送信号Ａと、送信回路１１０で生成された送信信号Ｂとは、それぞれ下記の数１及び数２で示すことができる。なお、後述する説明では、全ての信号をコサインで示して説明するが、コサインの変わりにサインで示して説明することができることは勿論である。
【００４４】
【数１】
2010504683.tif 000003
【００４５】
【数２】
2010504683.tif 000004
【００４６】
ここで、ｆｃは、送信回路１１０で生成された送信信号Ｂの周波数であり、送信信号は基底帯域で形成される。ｆｓは、搬送信号Ａの周波数であり、搬送信号Ａは、送信信号Ｂの送信のために一定周波数の帯域で形成される。Ａｓは、送信信号Ｂの振幅である。
【００４７】
一方、送信回路１１０のミキサでは、ローカルオシレータ３５からの搬送信号Ａと送信信号Ｂとをミキシングしてアップコンバージョンすることで、下記の数３に示された要請信号Ｃを生成する。
【００４８】
【数３】
2010504683.tif 000005
【００４９】
このような要請信号Ｃはタグに伝送され、タグでは要請信号Ｃに対して下記の数式４に示されたタグ信号Ｄを送信し、送信されたタグ信号Ｄは、図７に示したように、振幅の均一な正弦波の形状に形成されている。
【００５０】
【数４】
2010504683.tif 000006
【００５１】
ここで、１／ｘは、タグ信号Ｄが伝送される期間に発生するパワー損失を示し、距離及びチャンネル特性にしたがって異なる値を有する。Ａｇは、タグ信号Ｄの振幅、ｆｇはタグ信号Ｄの周波数帯域、Δθは、タグとリーダ機との距離差と要請信号Ｃがタグに到達した後、タグがターンオンされるまでのスイッチング遅延とによる位相差を示す。よって、Δθはタグとリーダ機との距離が変わるか、あるいはタグによって変わるスイッチング時間の変化によって変動し得る。
【００５２】
このようなタグ信号Ｄは、ローカルオシレータ３５からの搬送信号Ｅとミキシングされてダウンコンバージョンされ（Ｓ８１０）、この際、ローカルオシレータ３５からの搬送信号Ｅは、位相遅延部２１を通じて所定位相だけ遅延され、ミキサ１３に提供される。即ち、ミキサ１３に提供される搬送信号Ｅは、下記の数５に示すことができる。
【００５３】
【数５】
2010504683.tif 000007
ここで、∠θはローカルオシレータ３５で発生した搬送信号に対して位相遅延部２１で遅延させた位相を示す。
【００５４】
一方、タグ信号Ｄは、ＬＮＡ１１を経て増幅され、この際、増幅によって数式４の１／ｘが除去される。これによって、ミキサ１３でタグ信号Ｄと搬送信号Ｅとをミキシングして下記の数６に示されるタグ信号Ｆを生成する。このようなタグ信号Ｆは、図６に示したような波形を有するようになり、時間によって、即ち、位相の変化によってタグ信号Ｆの出力信号が変化することがわかる。
【００５５】
【数６】
2010504683.tif 000008
このようなタグ信号Ｆは、フィルタ１５に入力され、フィルタ１５では、タグ信号Ｆで高周波帯域の信号をフィルタリングする。これによって、数６で高周波帯域を示す
【００５６】
【数７】
2010504683.tif 000009
が除去され、タグ信号Ｆは、増幅器１７とＡＤＣ１９を経て処理されることによって、パワー評価部３４と制御ブロック３０には、下記の数８に示されるタグ信号Ｇが提供される。
【００５７】
【数８】
2010504683.tif 000010
【００５８】
このようなタグ信号Ｇは、図９に細い線で示されたように、時間の変化、即ち、位相の変化によってそれのパワーが変わっていることがわかる。図９に示したタグ信号Ｇの場合、∠θが０である場合とπである場合に最大値を示し、これはタグとｍＲＦＤＩリーダ機との距離が０であるかπの倍数に該当する距離だけ離れていることを示す。
【００５９】
一方、タグ信号Ｇが最大値を有するには、ｃｏｓ０が１であるため、Δθ＝∠θにならなければならない。図９の場合は、距離が０であるため、位相差が０である場合、タグ信号Ｇが最大値になる。即ち、本ｍＲＦＩＤリーダ機は、タグ信号Ｇが最大になる位相を探しだすことによって、タグとリーダ機との距離とタグのスイッチング遅延による位相遅延を補償する。
【００６０】
このようなタグ信号Ｇの入力を受けたパワー評価部２３は、タグ信号Ｇのパワーの絶対値を感知し（Ｓ８２０）、該当パワーの絶対値が感知された時の位相とともにパワーの絶対値を保存部２５に保存する。この際、パワー評価部２３は、保存部２５に保存された前のパワーの絶対値と、新しく感知されたパワーの絶対値とを比較し（Ｓ８３０）、新しく感知されたパワーの絶対値が大きい場合には新しく感知されたパワーの絶対値と位相を保存部２５に保存し（Ｓ８３７）、保存されたパワーの絶対値が大きい場合には保存されたパワーの絶対値と位相を維持する（Ｓ８３５）。
【００６１】
例えば、図３、図４、図５、及び図６を参照すると、本ｍＲＦＩＤリーダ機で互いに相違する距離にあるタグを読み込んだ時の状況を示している。ローカルオシレータ３５で生成される搬送信号の位相差をπ／２まで遅延させながらタグ信号Ｆと掛け算してタグ信号Ｇを生成する。この際のパワーを見ると、タグ信号Ｇがπ／２周期だけ進行される期間、図３または図５の「初期化区間」に示したように、パワー評価部２３で感知されるタグ信号Ｇのパワー絶対値が変わる。そうすると、該当パワーの絶対値に該当する位相図である図４または図６の「初期化区間」に示したように変わる。パター評価部２３は、パワーの絶対値が最大値であるａ点とｃ点に到達する前までは保存部２５に保存されたパワーの絶対値と、該当位相とを更新する。しかし、ａ点とｃ点を経るとパワー絶対値が減少しはじめ、パワー評価部２３は保存部２５に保存されたパワーの絶対値と位相とを更新しない。そうすると、位相遅延部２１では、図４及び図６のタグと通信区間に示したように、パワーの絶対値が最大になる位相だけローカルオシレータ３５からの搬送信号を遅延させて搬送信号Ｅとして出力し、タグ信号Ｇのパワー絶対値は、図３及び図５の「タグと通信区間」に示したように、最大値を有するようになる。
【００６２】
一方、タグ信号Ｇの入力を受けた制御ブロック３０は、復号器３１を通じて希望するタグ信号を分離して復号化する。その後、制御機３３は、制御信号Ｇの出力を観察しながら遅延調節部２７の動作を制御する。この際、制御機３３は、タグ信号Ｇのプリアンブルが受信される中、π／２周期の期間、タグ信号Ｇの出力を観察してタグ信号Ｇの出力が最大値である地点を探し出す。
【００６３】
遅延調節部２７は、制御機３３からの制御によって、保存部２５に保存された位相だけ遅延された搬送信号Ｅが出力されるよう位相遅延部２１を制御する（Ｓ８４０）。これによって、位相遅延部２１では、保存部２５に保存された位相だけ遅延された搬送信号Ｅを出力し、出力された搬送信号Ｅは、ミキサ１３でタグ信号Ｆとミキシングされてタグ信号Ｇを出力する。
【００６４】
パワー評価部２３は、提供を受けたタグ信号Ｇを再び評価する。この際、遅延調節部２７で遅延された位相は、該当時間まで評価されたパワー絶対値のうち、最大値に該当する位相であるため、タグ信号Ｇは、前のタグ信号Ｇより上昇した出力を有するようになる。
【００６５】
一方、制御ブロック３０の制御機３３は、タグ信号Ｇの出力が最大値であるかを判断し（Ｓ８５０）、最大値でない場合にはＳ８２０〜Ｓ８４０の過程を反復する。もし、タグ信号Ｇの出力が最大値であると、制御機３３は、∠θがπ／２に到達したか否かを判断し（Ｓ８６０）、∠θがπ／２であるとパワー評価部２３の動作を停止させ、該当位相に位相遅延部の位相がセッティングされるよう遅延調節部２７を制御する（Ｓ８７０）。
【００６６】
このように、本ｍＲＦＩＤリーダ機は、タグ信号にミキシングされる搬送信号の位相を調節しながら、タグ信号のパワー絶対値が最大になる位相を探し出すことによって、タグ信号の位相遅延を補償する。よって、本ｍＲＦＩＤリーダ機は、従来のように、位相遅延を補償するためにＩ信号とＱ信号とをそれぞれ処理するＩ信号処理回路とＱ信号処理回路をそれぞれ支度する必要がない。
【００６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６８】
１０    受信回路
１１    ＬＮＡ
１３    ミキサ
１５    フィルタ
１７    増幅器
１９    ＡＤＣ
２０    位相調節ブロック
２１    位相遅延部
２３    パワー評価部
２５    保存部
２７    遅延調節部
３０    制御ブロック
３１    復号器
３３    制御機
３５    ローカルオシレータ
１１０    送信回路
【図１】
2010504683.tif 000011
【図２】
2010504683.tif 000012
【図３】
2010504683.tif 000013
【図４】
2010504683.tif 000014
【図５】
2010504683.tif 000015
【図６】
2010504683.tif 000016
【図７】
2010504683.tif 000017
【図８】
2010504683.tif 000018
【図９】
2010504683.tif 000019
【図１０】
2010504683.tif 000020
【国際調査報告】
2010504683.tif 000021
2010504683.tif 000022